(57)【要約】【課題】  デジタルカメラのダイレクトプリント時のインデックスプリントからの画像選択を容易にする。【解決手段】  プリンタとデジタルカメラの記録媒体とアノトペン（背景パターンを読み取って用紙上の絶対位置を検出してＢｌｕｅｔｏｏｔｈで転送する筆記具）で構成され、インデックスプリント上にアノトペンで直接印刷枚数の指示などを書き込む。【選択図】  図１
2005169798.tif 000002
【特許請求の範囲】
【請求項１】
所定の背景パターンが印刷された用紙の上をなぞることで、用紙上の絶対位置を検出し、その位置情報を無線通信で他の機器に伝送可能な構成であり、かつ前記用紙上に筆跡を筆記可能なペンと、
前記ペンで検出可能な前記背景パターンを印刷する機能を有し、かつ画像の印刷も可能なプリンタと、
前記プリンタで印刷するための画像情報を記録しておく記録媒体と、
前記記録媒体から読み出された前記画像情報を、前記プリンタにて所定のフォーマットで印刷する様に制御するコントローラとを備えた画像印刷システムであって、
前記コントローラの制御によって前記画像情報を印刷するときには、前記プリンタは前記画像情報と前記背景パターンとを前記用紙に印刷し、さらに印刷された前記用紙に前記ペンで筆記を行った情報を受信して、更に印刷動作を実行可能であることを特徴とする画像印刷システム。
【請求項２】
請求項１において、前記ペンは前記用紙の上で所定の筆記動作を行うことにより所望の画像の選択が可能であって、その選択動作に基づいて前記プリンタは前記ペンによって選択された前記画像の印刷を可能としたこと特徴とする画像印刷システム。
【請求項３】
請求項１または２において、前記プリンタと前記ペンは、微小出力による近接無線通信あるいは赤外線あるいは有線で接続していることを特徴とする画像印刷システム。
【請求項４】
請求項１において、前記コントローラはプリンタに内蔵されていることを特徴とする画像印刷システム。
【請求項５】
請求項２において、前記筆記動作は前記用紙に印刷された画像上に書き込むことを特徴とする画像印刷システム。
【請求項６】
請求項２において、前記筆記動作は前記用紙に印刷された画像の周辺に有る所定の書き込み位置に書き込むことを特徴とする画像印刷システム。
【発明の詳細な説明】
【技術分野】
【０００１】
本発明は画像を選択的に印刷する装置に関するものである。
【背景技術】
【０００２】
従来、デジタルカメラ等の静止画記録装置でその静止画像を印刷する場合に於いて、記録媒体上から印刷する画像を選択し印刷指示を行うと言う作業が非常に煩雑であった。そこで、それを解決するために最近は様々な提案がなされている。例えば特許文献１の様に、撮影された画像を記録媒体より一度一覧性の良いインデックスシートに印刷し、その印刷されたインデックス画像を見て画像の選択や枚数の指定などをインデックスシート上に予め設けられたチェックボックスに書き込むことで行い、それを読み取り装置で読み取り、そのインデックスシートの指示にしたがって本印刷動作を行うという方法が提案されている。
【特許文献１】特開2002-273973号公報
【発明の開示】
【発明が解決しようとする課題】
【０００３】
しかしながら従来の方式では、システムの中に追記されたインデックスシートの読み取り装置が必要となり、装置の大型化や高価格化が避けられない。また印刷する枚数などの指定でも、予め決められている枚数以外の設定はできず、柔軟性に欠けるという問題が有った。
【０００４】
本発明は上記の如き問題点を解決して、容易に印刷画像の選択が行える画像印刷システムを提供することを目的とする。
【課題を解決するための手段】
【０００５】
斯かる目的を達成する為の手段として、本発明は以下の構成からなる手段を有する。
【０００６】
本発明の画像印刷システムは、所定の背景パターンが印刷された用紙の上をなぞることで、用紙上の絶対位置を検出し、その位置情報を無線通信で他の機器に伝送可能な構成であり、かつ前記用紙上に筆跡を筆記可能なペンと、前記ペンで検出可能な前記背景パターンを印刷する機能を有し、かつ画像の印刷も可能なプリンタと、前記プリンタで印刷するための画像情報を記録しておく記録媒体と、前記記録媒体から読み出された前記画像情報を、前記プリンタにて所定のフォーマットで印刷する様に制御するコントローラとを備えた画像印刷システムであって、前記コントローラの制御によって前記画像情報を印刷するときには、前記プリンタは前記画像情報と前記背景パターンとを前記用紙に印刷し、さらに印刷された前記用紙に前記ペンで筆記を行った情報を受信して、更に印刷動作を実行可能であることを特徴とする。
【発明の効果】
【０００７】
本発明によれば、用紙にインデックス画像と併せて背景パターンを印刷し、その背景パターンを読み取ることで用紙上の絶対位置を検出可能な専用のペンを用いて、本印刷に必要な指定を行うことで、簡便かつ判りやすく印刷の指示が行えることになるものである。
【発明を実施するための最良の形態】
【０００８】
（実施例１）
図１が本発明の実施形態の画像印刷システムの構成である。101はプリンタ装置で、インデックスプリントや通常の印刷等の印刷が可能なものである。102は記録媒体読み書き装置で、画像データを収納してある媒体からの読み書き動作を行うものである。103はデジタルカメラで、静止画像の撮影などを行うものである。104は記録媒体であり、デジタルカメラ103で記録された画像を記録しておくものである。105はペンであり、インデックスシートの上に通常の筆記を行うことができ、なおかつインデックスシート上のペンの位置情報を送信可能なものである。106はインデックスシートであり、プリンタ装置101によって印刷され、ペン105によって追記されるものである。
【０００９】
記録媒体読み書き装置102はプリンタ装置101に内蔵されている形態も可能である。または、記録媒体読み書き装置102はデジタルカメラ103に内包されている形態も可能である。
【００１０】
記録媒体読み書き装置102、プリンタ装置101、デジタルカメラ103の各装置のデータ転送のための接続は無線接続されている形態であるが、どれか若しくは全てが有線接続の形態も可能である。また、ペン105の位置情報の転送は無線で行われる形態である。
【００１１】
図２は図１の画像印刷システムを構成する各装置の構成を示したものである。本図に於ける各装置間のデータ転送様の接続は便宜上「微弱電波による近接無線通信」を使用しているとして説明する。
【００１２】
図２のａ）はプリンタ装置101の構造で、微弱電波通信インターフェースを介して他の装置との通信を行い、送られてきたデータを元に制御コントローラが紙に画像や文字図形の印刷を行うものである。
【００１３】
ｂ）は記録媒体読み書き装置102の構造で、記録媒体からの画像データを読み込んで微弱電波通信インターフェースを介して他の装置に転送したり、微弱電波通信インターフェースを介して送られてきた指令に応じて記録媒体中の画像データの削除やファイル名の変更を行うものである。
【００１４】
ｃ）はデジタルカメラ103の構造で、撮影機構によって撮影された画像を記録媒体に記録保存し、その画像データを微弱電波通信インターフェースを介して他の装置に転送したり、微弱電波通信インターフェースを介して送られてきた指令に応じて記録媒体中の画像データの削除やファイル名の変更を行うものである。
【００１５】
ｄ）はペン105の構造で、所定の背景パターンをパターン読み取り機構に内蔵された二次元イメージセンサーで読み取り、それによって筆記する用紙上の絶対位置を検出し、その位置情報を微弱電波通信インターフェースを介して他の装置に転送するものである。
【００１６】
なお、本発明の形態に於て、全システムの制御主体はプリンタ装置101、記録媒体読み書き装置102、デジタルカメラ103、ペン105の各装置内の制御コントローラの何れかに置かれているものである。
【００１７】
また、本発明の形態において、記録媒体インターフェース102がプリンタ装置101に内蔵、あるいはデジタルカメラ103に内包されている場合に於ては、制御コントローラは共用されている構造も可能である。
【００１８】
本発明の画像印刷システムの動作形態について、図３を用いて説明する。なお、本例の説明に於いて、前述の全制御システムの制御主体はプリンタ101の制御コントローラに内蔵されているものとし、また各装置間のデータの転送は全て微弱電波による近接無線通信を用いるものとして説明する。
【００１９】
図３ａ）は、図１の記録媒体104の画像データをペン105で読み取り可能な背景パターンを重畳してインデックスプリントとしてプリンタ装置101から出力したものを示したものである。
【００２０】
ここで、図５を用いて背景パターンの例を示す。図のように背景に印刷されたドットパターンは更に細かいドットで構成され、夫々のドットには異なるパターンを持たせることで、それをペンに内蔵されたパターン読み取り機構で読み取ることで、用紙上の絶対位置を検出するものである。なお、各図の背景点は読み取り可能な微細なドットパターンを模式的に示したもので、実際には図５を含め一般的な視覚では認識しにくい程度に小さくペンに内蔵された二次元イメージセンサーでは十分弁別可能な大きさを持っているもの、あるいは特定の色で印刷したものであったり可視光外の色で印刷されている場合もあるものである。
【００２１】
図３に戻り、同図ａ）のインデックスプリントは、プリンタ101が媒体読み取り装置102より記録媒体104より画像データを読み出して、そのデータを元に画像データを一覧状に並べた部分と、その周辺に明示的にその画像の付随状の書き込み位置を示す部分が印刷するものである。
【００２２】
次に同図ｂ）はａ）に「画像を複数印刷するための枚数指定」を行う場合の例である。図のように画像の上、あるいはその周辺にペン105で直接枚数を記載していく。すると、そのインデックスプリント上に於ける位置情報を随時制御主体となるプリンタ101にペン105が転送し、プリンタ101はその情報から「書かれた文字が数字であること」「その数字がどの画像の上（或いは周辺）に書かれたのか」を判断し記憶する。
【００２３】
次にｃ）の動作は、「画像を削除する」場合の例である。図のように画像上、あるいはその周辺にペン105で直接削除を示す記号、この場合は×印、を記載していく。すると、そのインデックスプリント上に於ける位置情報を随時制御主体となるプリンタ101にペン105が転送し、プリンタ101はその情報から「書かれたものが×印であること」「その印がどの画像の上（或いは周辺）に書かれたのか」を判断し記憶する。
【００２４】
ｄ）の動作は「画像を複数印刷するための一括枚数指定」を行う場合の例である。図のように或る複数の画像を取り囲むようにペン105で線を引き、更にその閉鎖空間内にペン105で直接枚数を記載していく。すると、そのインデックスプリント上に於ける位置情報を随時制御主体となるプリンタ101にペン105が転送し、プリンタ101はその情報から「或る範囲を示す線が引かれたこと」ほ判断しその内側にある画像が何であるかを判断、そしてその後「書かれた文字が数字であること」「その数字がその閉鎖空間の内側の画像の上（或いは周辺）に書かれたかどうか」を判断し記憶する。
【００２５】
ｅ）の動作は「画像データのファイル名を変更する」場合の例である。図のように或る画像の上、あるいはその周辺にペン105で直接変更後のファイル名を記載していく。すると、そのインデックスプリント上に於ける位置情報を随時制御主体となるプリンタ101にペン105が転送し、プリンタ101はその情報から「書かれた文字が文字であること」「その文字がどの画像の上（或いは周辺）に書かれたのか」を判断し記憶する。
【００２６】
以上ｂ）〜ｅ）の筆記動作を全て行った後のインデックスプリントはｆ）の様になっている。同図では「画像ａは２枚、画像ｂは３枚、画像ｃは１枚、画像ｆ、ｇ、ｉ、ｋは夫々４枚印刷し、画像ｄと画像ｊは記録媒体から削除、画像ｈはファイル名を画像Ｚと変更する」様に指示した状態となる。その後プリンタより本印刷を行うと、ｇ）の様に先に指示した枚数の印刷と画像データの削除とファイル名の変更が行われる事となる。
【００２７】
また、図４は本実施例の別動作形態の説明図である。
【００２８】
同図ａ）はプリンタ装置からのインデックスプリントを示したものであるが、図３とは異なり記録媒体104の画像データをインデックスとして印刷する部分には、ペン105で読み取り可能な背景パターンを印刷せず、それ以外の部分にのみ印刷するようにプリンタ装置101から出力するものである。
【００２９】
同図ｂ）には、第一の実施例と同様に「画像ａは２枚、画像ｂは３枚、画像ｃは１枚、画像ｄは４枚印刷し、画像ｅと画像ｆは記録媒体から削除する」と指示したものである。ただし、ペン105は読み取り可能な背景パターンがない部分では位置情報を取得できないために、画像ｄへの枚数の指示と画像ｆへの画像データ削除指示は実際はプリンタ101にては判断できない。
【００３０】
その結果は同図ｃ）の様に、指示が認識された画像ａが２枚、画像ｂが３枚、画像ｃが１枚の印刷と、画像ｅの画像データの記録媒体からの削除が完了することとなる。
【図面の簡単な説明】
【００３１】
【図１】本発明の画像印刷システムの構成を示した図である。
【図２】（ａ）〜（ｄ）は画像印刷システムの各装置の構成を示した図である。
【図３】（ａ）〜（ｇ）は本発明の画像印刷システムの動作形態を説明するための図である。
【図４】（ａ）〜（ｃ）は本発明の画像印刷システムの別の動作形態を説明するための図である。
【図５】本発明のプリンタ装置から出力される背景パターンの様子を表したものである。
【符号の説明】
【００３２】
101  プリンタ装置
102  記録媒体読み書き装置
103  デジタルカメラ
104  記録媒体
105  位置情報読み取り機能内蔵のペン
106  インデックスシート
【図１】
2005169798.tif 000003
【図２】
2005169798.tif 000004
【図３】
2005169798.tif 000005
【図４】
2005169798.tif 000006
【図５】
2005169798.tif 000007